(57)【要約】  【課題】  ディスプレイと金属板との間に回路基板を好適に配置することができる電子機器を提供する。  【解決手段】  本実施形態に係るスマートフォン１０は、ディスプレイ２０、該ディスプレイ２０が載置される主面部３１ａと、該主面部３１ａより窪んでいる窪み部３１ｂとを有する板金部材３１、主面部３１ａ側に突出する突出部３２ａを有し、窪み部３１ｂに成型される樹脂部材３２、および、該樹脂部材３２の突出部３２ａに載置されるとともに、ディスプレイ２０を支持する回路基板４０、を備える。【選択図】  図２
2014135698.tif 000002
【特許請求の範囲】
【請求項１】
ディスプレイ、
該ディスプレイが載置される主面部と、該主面部より窪んでいる窪み部とを有する板金部材、
前記主面部側に突出し、前記窪み部に成型される樹脂部材、および、
該樹脂部材に載置されるとともに、前記ディスプレイを支持する回路基板、を備える電子機器。
【請求項２】
前記樹脂部材は、前記板金部材の前記窪み部に対する厚みの異なる第１部位と、第２部位とを有する、請求項１に記載の電子機器。
【請求項３】
前記樹脂部材の前記第２部位は、前記板金部材の窪み部に対する厚みが前記第１部位に比べて厚く、
前記回路基板は、前記第１部位に載置される第１回路基板と、前記第２部位および前記第１回路基板に載置されるとともに、前記ディスプレイを支持する第２回路基板とを有する、請求項２に記載の電子機器。
【請求項４】
前記回路基板は、前記樹脂部材に載置される載置領域と、前記板金部材の窪み部と離隔して対向し、電子部品が実装される実装領域と、を有する、請求項１に記載の電子機器。
【請求項５】
前記板金部材の窪み部は、前記主面部に対して略均一な深さである、請求項１に記載の電子機器。
【請求項６】
前記樹脂部材は、前記板金部材の主面部より窪んでいる、請求項１に記載の電子機器。
【請求項７】
前記樹脂部材は、前記ディスプレイを支持する筐体と一体成型されている、請求項１に記載の電子機器。
【請求項８】
前記回路基板は、前記ディスプレイに電気的に接続されるフレキシブルプリント基板である、請求項１に記載の電子機器。
【発明の詳細な説明】
【技術分野】
【０００１】
本発明は、電子機器に関する。
【背景技術】
【０００２】
ディスプレイを金属板の平らな領域に載置する技術がある。この技術は例えば特許文献１に開示されている。
【先行技術文献】
【特許文献】
【０００３】
【特許文献１】特開２０１３−５２５７号公報
【発明の概要】
【発明が解決しようとする課題】
【０００４】
金属板の平らな領域にディスプレイを載置した場合、ディスプレイと金属板との間に回路基板を配置することができない。金属板に回路基板を配置する領域をプレス加工によって設けると、十分な加工精度が得られない。
【０００５】
本発明は、かかる課題に鑑みてなされたものであり、ディスプレイと金属板との間に回路基板を好適に配置することができる電子機器を提供することを目的とする。
【課題を解決するための手段】
【０００６】
本発明の実施形態に係る電子機器は、ディスプレイ、該ディスプレイが載置される主面部と、該主面部より窪んでいる窪み部とを有する板金部材、前記主面部側に突出し、前記窪み部に成型される樹脂部材、および、該樹脂部材と前記ディスプレイとの間に配され、前記ディスプレイが載置される回路基板、を備える。
【発明の効果】
【０００７】
本発明によれば、ディスプレイと金属板との間に回路基板を好適に配置することができる電子機器を提供することができる。
【図面の簡単な説明】
【０００８】
【図１】本発明に係る電子機器の実施形態であるスマートフォンの概略を示す斜視図である。
【図２】図１に示したスマートフォンのＩＩ−ＩＩ線に沿った要部断面図である。
【図３】図１に示した載置部材の構成を示す全体斜視図である。
【図４】図３に示した載置部材の要部断面の斜視図である。
【発明を実施するための形態】
【０００９】
以下、本発明に係る電子機器の１つの実施形態としてスマートフォン１０を例示し、図面を参照しつつ説明する。
【００１０】
図１および図２に示したスマートフォン１０は、ディスプレイと、載置部材３０と、回路基板４０と、電子部品とを含んで構成されている。
【００１１】
本実施形態では、ディスプレイとしてタッチスクリーンディスプレイ２０を採用している。タッチスクリーンディスプレイ２０は、表示デバイスと、タッチスクリーンとを含んで構成されている。なお、ディスプレイとしてタッチスクリーンディスプレイ２０に代えて、タッチスクリーンを省略した表示デバイスを採用してもよい。
【００１２】
表示デバイスは、電子情報を画像として表示するデバイスである。表示デバイスは、略平板状の構造をしている。本実施形態では、表示デバイスの２つの主面のうち、スマートフォン１０の外側に位置する主面を単に表示面と記載し、スマートフォン１０の内側に位置する主面を単に裏面と記載する。表示デバイスとしては、ＬＣＤ（Liquid Crystal Display）およびＥＬＤ（Electro-Luminescence Display）を含む種々のデバイスが採用できる。
【００１３】
タッチスクリーンは、表示デバイスに表示された画像に対する指示操作を受け付けるデバイスである。本実施形態のタッチスクリーンは、表示デバイスの表示面に重ねて配置されていが。表示デバイスの裏面に重ねて配置されていてもよい。なお、本実施形態のタッチスクリーンは、表示デバイスとタッチスクリーンと別体構成となっているが、表示デバイスに一体構成されていてもよい。タッチスクリーンとしては、例えば静電容量方式、抵抗膜方式、表面弾性波方式（または超音波方式）、赤外線方式、電磁誘導方式、および荷重検出方式などの種々の方式の接触センサを含むデバイスが採用できる。
【００１４】
図３および図４に示した載置部材３０は、タッチスクリーンディスプレイ２０を載置するものである。この載置部材３０は、板金部材３１と、樹脂部材３２とを含んで構成されている。
【００１５】
板金部材３１は、タッチスクリーンディスプレイ２０を載置する主材となるものである。この板金部材３１は、主面部３１ａと、窪み部３１ｂと、貫通孔３１ｃとを有する。板金部材３１の主面部３１ａは、タッチスクリーンディスプレイ２０を主として支持する部位である。言い換えると、タッチスクリーンディスプレイ２０の一部は、板金部材３１の主面部３１ａに載置される。板金部材３１の窪み部３１ｂは、主面部３１ａより窪んでいる部位である。この窪み部３１ｂは、板金加工などによって板金部材３１に設けられる。板金部材３１の貫通孔３１ｃは、主面部３１ａを貫通する孔を規定する部位である。
【００１６】
樹脂部材３２には、板金部材３１がインサート成型されている。この樹脂部材３２は、板金部材３１の窪み部３１ｂから主面部３１ａ側に突出する突出部３２ａを有している。この突出部３２ａは、回路基板４０を支持する部位である。言い換えると、この樹脂部材３２の突出部３２ａに回路基板４０が載置される。本実施形態では、回路基板４０を支持する突出部３２ａを樹脂材料によって成型しているので、金属材料で成型する場合に比べて厚みに対する精度を高めることができる。また、回路基板４０を支持する突出部３２ａが板金部材３１の窪み部３１ｂから突出しているので、回路基板４０と板金部材３１とを離隔させることができる。
【００１７】
本実施形態の突出部３２ａは、板金部材３１の窪み部３１ｂに対する高さの異なる第１突出部３２ａ１と、第２突出部３２ａ２とが含まれている。第２突出部３２ａ２は、板金部材３１の窪み部３１ｂに対する厚みが第１突出部３２ａ１よりも厚くなっている部位である。第１突出部３２ａ１は、第２突出部３２ａ２と一体成型されている。本実施形態では、回路基板４０を支持する第１突出部３２ａ１および第２突出部３２ａ２を樹脂材料によって成型している。この構成を採用することによって、本実施形態では板金加工によって多段階の窪み部を形成する場合に比べて、基材となる金属の反りを低減することができる。また、この構成を採用することによって、本実施形態では板金加工によって多段階の窪み部を形成する場合に比べて、ねじれ圧力に対して節となる部位を少なくすることができる。このねじれ圧力に対して節となる部位を少なくすることによって、タッチスクリーンディスプレイ２０の一部に負荷が集中するのを低減することができる。
【００１８】
本実施形態の樹脂部材３２は、板金部材３１の周りを囲んでいる枠部３２ｂを含んでいる。この枠部３２ｂは、スマートフォン１０のケースの一部として機能する部位である。
【００１９】
本実施形態の回路基板４０には、第１回路基板４１と、第２回路基板４２と、第３回路基板とが含まれている。
【００２０】
第１回路基板４１は、タッチスクリーンに電気的に接続される配線が含まれている。
【００２１】
第２回路基板４２は、表示デバイスに電気的に接続される配線が含まれている。第２回路基板４２は、載置領域４２ａと、実装領域４２ｂとを有する。
【００２２】
第２回路基板４２の載置領域４２ａは、樹脂部材３２の第２突出部３２ａ２または第１回路基板４１に載置される領域である。本実施形態の第２回路基板４２は、第１回路基板４１を覆うように載置されている。本実施形態の第２回路基板４２は、樹脂部材３２の突出部３２ａを覆うように載置されている。かかる第２回路基板４２と板金部材３１の主面部３１ａとがタッチスクリーンディスプレイ２０を支持するので、本実施形態では、タッチスクリーンディスプレイ２０を良好に載置することができる。板金部材３１の主面部３１ａに対する窪み部３１ｂの深さと、樹脂部材３２の突出部３２ａに回路基板４０を重ねた厚みとをほぼ等しくすることによって、タッチスクリーンディスプレイ２０をより良好に載置することができる。本実施形態では、回路基板４０を支持する樹脂部材３２の突出部３２ａが樹脂材料によって成型されているので、厚みに対する精度を容易に高めることができる。
【００２３】
第２回路基板４２の実装領域４２ｂは、板金部材３１の窪み部３１ｂと離隔している。第２回路基板４２の実装領域４２ｂは、電子部品が実装される領域である。本実施形態では、第２回路基板４２を支持する第２突出部３２ａ２が板金部材３１の窪み部３１ｂから突出しているので、第２回路基板４２と板金部材３１とを離隔させることができる。この構成を採用することによって、本実施形態では、実装領域４２ｂに電子部品を実装することができる。
【００２４】
第３回路基板は、第１回路基板４１と第２回路基板４２とに電気的に接続される。第３回路基板と、第１回路基板４１および第２回路基板４２とは、板金部材３１の貫通孔３１ｃを通じて電気的に接続される。第３回路基板は、板金部材３１の主面部３１ａと対となる主面側に載置される。
【００２５】
電子部品は、スイッチ、抵抗器、コンデンサ、圧電素子、アンテナ器、マイク、スピーカ、演算デバイス、および記憶デバイスを含む種々の電子部品である。本実施形態の電子部品は、回路基板４０に適宜適切な領域に実装され、目的に応じた機能を奏する。本実施形態の電子部品のうち、第２回路基板４２の実装領域４２ｂに実装される電子部品５０は、板金部材３１によってシールドすることができるので、他の電子部品に対する影響を低減することができる。
【００２６】
実施形態では、スマートフォン１０を例に挙げたが、これに限られず、携帯電話機、タブレット端末、ＰＤＡ（Personal Digital Assistant）、ＰＣなどの種々の電子機器に適用されてもよい。
【符号の説明】
【００２７】
スマートフォン１０
タッチスクリーンディスプレイ２０
載置部材３０
板金部材３１
主面部３１ａ
窪み部３１ｂ
貫通孔３１ｃ
樹脂部材３２
突出部３２ａ
第１突出部３２ａ１
第２突出部３２ｂ２
枠体３２ｂ
回路基板４０
第１回路基板４１
第２回路基板４２
載置領域４２ａ
実装領域４２ｂ
電子部品５０
【図１】
2014135698.tif 000003
【図２】
2014135698.tif 000004
【図３】
2014135698.tif 000005
【図４】
2014135698.tif 000006